(57)【要約】開示された技術は、熱伝達流体を採用する熱伝達システムおよび熱伝達方法に関する。特に、本技術は、電気自動車の電池モジュールを冷却するためのものなどの熱伝達システムにおいて優れたピーク温度低下を提供する、低い導電率、低い可燃性、および低い凍結点を伴う水性熱伝達流体に関する。【特許請求の範囲】
【請求項１】
熱伝達システムであって、
ａ．熱伝達流体であって、
ｉ．水と、
ｉｉ．Ｃ２〜Ｃ１８アルキレングリコールと、
ｉｉｉ．Ｃ２〜Ｃ１８金属カルボキシレート、エタノールアミンカルボキシレート、またはそれらの混合物のうちの少なくとも１つを含む石鹸と、を含む、熱伝達流体と、
ａ．電気部品に密接に接触して前記熱伝達流体を循環させるための循環システムと、を備える、熱伝達システム。
【請求項２】
前記水が、脱塩水である、請求項１に記載の熱伝達システム。
【請求項３】
前記Ｃ２〜Ｃ１８アルキレングリコールが、エチレングリコールまたはプロピレングリコールを含む、請求項１に記載の熱伝達システム。
【請求項４】
前記石鹸が、アジピン酸二ナトリウムまたはコハク酸二ナトリウムを含む、請求項１に記載の熱伝達システム。
【請求項５】
前記熱伝達流体が、腐食防止剤をさらに含む、請求項１に記載の熱伝達システム。
【請求項６】
前記熱伝達流体が、抗酸化剤をさらに含む、請求項１に記載の熱伝達システム。
【請求項７】
電気部品から熱を分散させる方法であって、
ａ．前記電気部品と密接に接触する熱伝達システムを提供することと、
ｂ．前記熱伝達システムを通して熱伝達流体を循環させることであって、前記熱伝達流体が、
ｉ．水と、
ｉｉ．Ｃ２〜Ｃ１８アルキレングリコールと、
ｉｉｉ．Ｃ２〜Ｃ１８金属カルボキシレート、エタノールアミンカルボキシレート、またはそれらの混合物のうちの少なくとも１つを含む石鹸と、を含む、循環させることと、
ｃ．前記電気部品および前記熱伝達システムを動作させることと、を含む、方法。
【請求項８】
前記電気部品が電池モジュールを備え、前記電池モジュールを動作させることが、電池モジュールの総容量の少なくとも７５％が１５分未満の時間内に回復するように前記電池モジュールを充電することを含む、請求項７に記載の方法。
【発明の詳細な説明】
【背景技術】
【０００１】
開示された技術は、熱伝達流体を採用する熱伝達システムおよび熱伝達方法に関する。特に、本技術は、電気自動車の電力システムを冷却するためのものなどの熱伝達システムにおいて優れたピーク温度低下を提供する、低い導電率、低い可燃性、および低い凍結点を伴う水性熱伝達流体に関する。
【０００２】
電源の動作は、熱を発生させる。熱伝達システムは、電源と通信して、発生させられた熱を調整し、電源が最適な温度で動作することを保証する。熱伝達システムは、一般に、電源からの熱の吸収および放散を容易にする熱伝達流体を含む。一般に水とグリコールで構成される熱伝達流体は、高価であり得、凍結する傾向がある。従来の熱伝達流体は、非常に高い導電率を示すこともあり得、多くの場合、３０００マイクロジーメンス／センチメートル（μＳ／ｃｍ）以上の範囲にある。この高い導電率は、金属部分の腐食を促進することによって熱伝達システムに悪影響を及ぼし、また、熱伝達システムが電流にさらされる電源の場合、例えば、燃料セルなどにおいて、高い導電率は電流の短絡や感電につながる可能性がある。
【０００３】
電池パックは高レベルの安全性および安定性を提供するように設計されているが、電池パックの一部が局所的な熱状態を経験してかなりの熱を発生する状況が起こり得る。温度が十分に高く持続すると、局所的な熱状態が暴走熱状態に変容し、電池パックの広い領域に影響を及ぼし、特定の状況下では電池パック全体に影響を与える場合がある。
【０００４】
電池パックの設計は、筐体全体に冷却剤を送る、統合された絶縁冷却システムを含む。正常に機能している場合、冷却システムからの冷却液は、内部で保護されている電位と接触しない。リークが発生し、冷却材が筐体の意図しない部分に入ることがある。冷却剤が導電性である場合、比較的大きな電位差を有する端子をブリッジする可能性がある。そのブリッジングは、冷却剤が電気分解される電気分解プロセスを開始する可能性があり、十分なエネルギーが電気分解に伝導されると、冷却剤が沸騰し始める。この沸騰は、上記の暴走熱状態につながる可能性のある局所的な熱状態を生み出し得る。
【０００５】
低い電気伝導率および凝固点を伴う安価な熱伝達流体を採用する熱伝達システムおよび方法に対する必要性が存在する。
【発明の概要】
【０００６】
したがって、開示された技術は、電気部品に密接に接触している循環システム内を循環する熱伝達流体の熱伝達システムを提供する。
【０００７】
熱伝達システムは、熱伝達流体を循環させるための循環システムを含む。循環システムは、例えば、熱交換器を含み得る。
【０００８】
熱伝達流体は、水、Ｃ２〜Ｃ１８アルキレングリコール、および石鹸、例えば、Ｃ２〜Ｃ１８金属カルボキシレートもしくはエタノールアミンカルボキシレート、またはそれらの混合物を含み得る。
【０００９】
一実施形態において、熱伝達流体の水は、脱塩水である。
【００１０】
同じまたは異なる実施形態において、Ｃ２〜Ｃ１８アルキレングリコールは、エチレングリコールまたはプロピレングリコールであり得る。
【００１１】
いくつかの実施形態において、石鹸は、アジピン酸二ナトリウムまたはコハク酸二ナトリウムであり得る。
【００１２】
いくつかの実施形態において、熱伝達流体は、腐食防止剤および／または酸化防止剤をさらに含み得る。
【００１３】
電気部品から熱を分散させる方法も提供される。本方法は、電気部品と密接に接触する熱伝達システムを提供することを含む。熱伝達流体は、熱伝達システムを通して循環される。電気部品を動作させ、循環する熱伝達流体が電気部品によって発生させられた熱を分散させる。
【００１４】
電気部品を動作させる方法は、電池モジュールなどから電力を得るために電気部品を採用すること、またはその電力容量を回復するために電気部品（例えば、電池モジュール）を充電することを含み得る。一実施形態において、熱伝達流体を採用する熱伝達システムおよび方法は、総電力容量の少なくとも７５％が１５分未満の時間内に回復するように電気部品を充電することを可能にし得る。
【発明を実施するための形態】
【００１５】
様々な好ましい特徴および実施形態が、非限定的な例示として以下に説明される。
【００１６】
本技術は、良好な熱伝達を提供し、誘電性であり、可燃性が低い熱伝達流体を含む。熱伝達流体自体は、水、Ｃ２〜Ｃ１８アルキレングリコールのうちの少なくとも１つ、および石鹸の混合物である。
【００１７】
好ましくは、水成分は、水の電気伝導率を低下させるか、または排除するであろう脱塩水である。脱塩は、例えば、蒸留、脱イオン、逆浸透、または濾過などの任意の既知の方法によることができる。水は、熱伝達流体の重量に基づいて、約４５〜約８０重量％、または約４７〜約７５重量％、さらにまたは約５０〜約７０重量％で、熱伝達流体中に存在し得る。
【００１８】
Ｃ２〜Ｃ１８アルキレングリコールは、ジオールまたはトリオールであり得る。アルキレン成分は、線状、分枝状、環状、または芳香族であり得る。好適なＣ２〜Ｃ１８アルキレングリコールの例は、例えば、エチレングリコール、プロピレングリコール、１，３−プロパンジオール、ブタンジオール、ビスフェノール、レゾルシノール、グリセリンなどを含む。他の例は、糖アルコール、ソルビトール、マンニトール、キシリトール、エリスリトール、ペンタエリスリトール、アラビトール、イノシトール、およびグリコールエーテルを含み得る。
【００１９】
一実施形態において、Ｃ２〜Ｃ１８アルキレングリコールは、エチレングリコールであり得る。さらなる実施形態において、Ｃ２〜Ｃ１８アルキレングリコールは、プロピレングリコールであり得る。いくつかの実施形態において、Ｃ２〜Ｃ１８アルキレングリコールは、グリセリンであり得る。Ｃ２〜Ｃ１８アルキレングリコールのいくつかの実施形態は、プロピレングリコールとグリセリン、またはエチレングリコールとグリセリン、さらにまたはプロピレングリコールとエチレングリコールなどのグリコールの組み合わせを含み得る。Ｃ２〜Ｃ１８アルキレングリコールは、熱伝達流体の重量に基づいて、約１５〜４５重量％、または約２０〜約４２重量％、または約２５〜約４０重量％で熱伝達流体中に存在し得る。
【００２０】
熱伝達流体は、石鹸も含む。石鹸は、Ｃ２〜Ｃ１８金属カルボキシレート、またはその水和物、またはエタノールアミンカルボキシレート、またはそれらの混合物のうちの少なくとも１つであり得る。
【００２１】
金属カルボン酸塩に好適な金属は、アルカリまたはアルカリ土類金属、例えば、Ｌｉ、Ｋ、Ｍｇ、Ｃａ、およびＮａを含み得るが、これらに限定されない。
【００２２】
Ｃ２〜Ｃ１８金属カルボキシレートは、少なくとも１つのＯＨ基で置換された、またはその鎖が少なくとも１つの酸素原子（オキシ酸）、または環状もしくは二環のカルボキシレートもしくはジカルボキシレートによって中断された、飽和Ｃ２〜Ｃ１８脂肪族カルボキシレートまたはカルボキシレート、不飽和Ｃ２〜Ｃ１８脂肪族カルボキシレートまたはジカルボキシレート、飽和Ｃ２〜Ｃ１８脂肪族カルボキシレートまたはジカルボキシレートの金属塩であり得る。いくつかの実施形態において、金属カルボキシレートは、Ｃ３〜Ｃ１８金属カルボキシレート、またはＣ４〜Ｃ１８もしくはＣ４〜Ｃ１６金属カルボキシレート、さらにまたはＣ６〜Ｃ１２金属カルボキシレートであり得る。
【００２３】
好ましくは、Ｃ２〜Ｃ１８金属カルボキシレート中のカルボキシレートは、ジカルボキシレートである。好ましいＣ２〜Ｃ１８金属カルボキシレートの例は、セバシン酸二ナトリウム、ドデカン二ナトリウムまたはスベリン酸二ナトリウム、およびそれらの組み合わせを含み得る。採用できるＣ２〜Ｃ１８金属カルボキシレートの他の例は、アジピン酸二ナトリウム、コハク酸二ナトリウム、アゼリン酸二ナトリウム、およびウンデカンジオ酸二ナトリウムを含む。
【００２４】
ジカルボキシレートが好ましいが、モノカルボキシレートもまた、単独またはジカルボキシレートと組み合わせて採用することができる。モノカルボキシレートの例は、例えば、ギ酸、酢酸、プロピオン酸、グリコール酸、乳酸、ラウリン酸、ステアリン酸などを含む。ギ酸カリウムおよびギ酸ナトリウムは、Ｃ２〜Ｃ１８金属カルボキシレートの例である。
【００２５】
例えば、クエン酸などの高カルボン酸も採用することができる。
【００２６】
エタノールアミン金属カルボキシレートは、上記と同じＣ２〜Ｃ１８金属カルボキシレートを利用して採用することができる。加えて、脂肪酸を採用して、エタノールアミン金属カルボキシレートを調製することもできる。エタノールアミン脂肪酸エステル石鹸は、脂肪酸を伴う、モノエタノールアミン、ジエタノールアミン、またはトリエタノールアミン（すなわち、ＮＨ２（ＣＨ２）ＯＨ、ＮＨ（（ＣＨ２）ＯＨ）２、およびＮ（（ＣＨ２）ＯＨ）３）の反応生成物である。好適な脂肪酸は特に限定されないが、例えば、リノレン酸、ステアリン酸、パルミトレイン酸、オレイン酸、エルカ酸、酪酸、カプロン酸、カプリル酸、ラウリン酸、シトラコン酸、イタコン酸、パルミチン酸などを含み得る。特定の例示的な実施形態は、例えば、モノエタノールアミンオレエート、ジエタノールアミンオレエート、またはトリエタノールアミンオレエートであり得る。別の特定の例示的な実施形態は、例えば、モノエタノールアミンステアレート、ジエタノールアミンステアレート、またはトリエタノールアミンステアレートであり得る。さらに別の特定の例示的な実施形態は、例えば、モノエタノールアミンイタコキシレート、ジエタノールアミンイタコキシレート、またはトリエタノールアミンイタコキシレートであり得る。
【００２７】
石鹸は、熱伝達の環境に必要な所望の凝固点／熱容量を達成するのに十分な量で混合物中に存在し得る。場合によっては、石鹸は、熱伝達流体の重量に基づいて、約０．０１〜約１５重量％、または約０．０５〜約１２重量％、さらにまたは約０．１〜約１０重量％で、熱伝達流体中に存在し得る。場合によっては、石鹸は、約０．５〜約５重量％または１〜４重量％の量で存在し得る。
【００２８】
いくつかの実施形態において、熱伝達流体は、腐食防止剤をさらに含み得る。これらの追加の腐食防止剤の非限定的な例は、ソルビタン脂肪酸エステルなどの脂肪酸エステル、ポリアルキレングリコールエステル、エチレンオキシドとプロピレンオキシドのコポリマー、ソルビタン脂肪酸エステルのポリオキシアルキレン誘導体など、およびそれらの組み合わせを含む。さらなる例は、例えば、ネオデカン酸、ドデカン二酸、アルキルサルコシン（ラウロイルサルコシン酸ナトリウム）のナトリウム、カリウムおよびアミン塩、アルキルーコハク酸およびアルケニルーコハク酸およびそれらのアルコール、ジオールまたはヒドロキシカルボン酸との部分エステル、ならびにそれらの組み合わせを含み得る。
【００２９】
追加の腐食防止剤の平均分子量は、約５５〜約３００，０００ダルトンであり、より具体的には、約１１０〜約１０，０００ダルトンである。
【００３０】
腐食防止剤は、０．０１％〜６．０％または０．０２％、０．０３％、０．０５％、０．１％〜６％、４％、２％、１％、さらにまたは０．５％の組成物中に存在し得る。
【００３１】
熱伝達流体はまた、任意選択的に、酸化防止剤をさらに含み得る。水／グリコール系に可溶な任意の抗酸化剤を採用することができる。いくつかの例は、ブチル化ヒドロキシトルエン（「ＢＨＴ」）、ブチル化ヒドロキシアニソール（「ＢＨＡ」）、ＴＨＢＰ、ＴＢＨＱ、４−ヒドロキシフェニルプロピオン酸、没食子酸プロピル、３，３チオジプロピオン酸、Ｎ−フェニルーアルファーナフチルアミン（ＰＡＮＡ）、オクチル化／ブチル化ジフェニルアミン、高分子量フェノール系酸化防止剤、ヒンダードビスフェノール系酸化防止剤、ジーαートコフェロール、ジ第三ブチルフェノールなど、およびそれらの組み合わせを含む。抗酸化剤は、０．０１％〜６．０％または０．０２％、０．０３％、０．０５％、０．１％〜６％、４％、２％、１％、さらにまたは０．５％で組成物中に存在し得る。
【００３２】
熱伝達流体はまた、流体のｐＨを可能な限り中性に近づけるために使用されるｐＨ緩衝システムを含み得る。熱伝達流体がさらに希釈されるか、または酸もしくは塩基で汚染された場合に、流体を様々な緩衝液で緩衝して、ｐＨ変動を制御することができる。緩衝液は、様々なアルカリ金属リキシレート、ホウ酸塩ならびに炭酸塩、および／またはグリシンを含み得る。これらは、リン酸ナトリウム、リン酸二ナトリウム、およびリン酸三ナトリウムなどの組み合わせ、様々なホウ酸塩、グリシン、および重炭酸ナトリウムと炭酸ナトリウムの組み合わせを含む。対イオン、例えば、ナトリウム、カリウム、リチウム、カルシウム、およびマグネシウムは、緩衝作用にとって重要ではなく、過剰なカリウムが存在するため、他の陽イオンと交換する可能性がある。
【００３３】
熱伝達流体は、電気部品などの熱源に密接に接触して熱伝達流体を循環させるための循環システムを含む熱伝達システムで採用することができる。熱伝達システムは、一実施形態において、液体冷却システム、すなわち、ヒートシンクを通して熱伝達流体を循環させて、熱を発生する電気部品から熱を収集し、次いで、例えば、液体から空気への熱交換器または液体から液体への熱交換器を通して熱を放散することができるシステムを含み得る。
【００３４】
本技術はまた、熱伝達流体を採用して、熱伝達システムによって冷却された電気部品から熱を分散させる方法を提供する。
【００３５】
本方法は、冷却を必要とする電気部品を含むアセンブリを提供することを含み得る。電気部品は、熱伝達システムに密接に接触して、動作中に電気部品によって発生させられた熱が熱伝達システムに放散されるようにする必要がある。電気部品は、熱伝達システムの動作と共に動作させることができる。熱伝達システムは、例えば、熱伝達システムを通して熱伝達流体を循環させることによって動作させることができる。
【００３６】
熱伝達流体は、電気部品を有する多くの様々なアセンブリを冷却するのに好適であり得る。いくつかの実施形態において、アセンブリは、電気自動車、トラック、さらにまたは電車もしくは路面電車のような電化された大量輸送車両などの電化された輸送アセンブリであり得る。電化輸送における電気部品の主要部分は、多くの場合、電池モジュールであり、電池モジュールを構築するために互いに積み重ねられた１つ以上の電池セルを包含し得る。熱は、充電および放電動作中に、各電池セルによって発生させられるか、または比較的極端な（すなわち、高温の）周囲条件の結果として、電化車両のキーオフ状態中に電池セルに伝達される可能性がある。したがって、電池モジュールは、周囲条件および／または動作条件の全範囲にわたって電池モジュールを熱管理するための熱伝達システムを含む。実際、電池モジュールの動作は、電池モジュールの動作において、または電池モジュールの充電中など、そこからの電力の使用および消費中に発生し得る。充電に関しては、熱伝達流体の使用により、電池モジュールを充電して、１５分未満の時間内に総電池容量の少なくとも７５％まで回復させることができる。
【００３７】
同様に、電化輸送における電気部品は、熱伝達流体による冷却を必要とする燃料電池、太陽電池、太陽電池パネル、光電池などを含み得る。そのような電動輸送はまた、例えば、ハイブリッド車におけるような、従来の内燃機関を含み得る。
【００３８】
電化輸送はまた、電気部品として電気モータを含み得る。電気モータは、例えば、変速機、車軸、および差動装置を動作させるために、車両の駆動系に沿ったどこでも採用することができる。このような電気モータは、熱伝達流体を採用する熱伝達システムによって冷却することができる。
【００３９】
他のアセンブリは、例えば、コンピュータ機器などの、熱伝達流体を伴う熱伝達システムによる冷却を必要とする電気部品を含み得る。コンピュータ機器は、コンピュータマイクロプロセッサ、無停電電源（ＵＰＳ）、パワーエレクトロニクス（ＩＧＢＴ、ＳＣＲ、サイリスタ、コンデンサ、ダイオード、トランジスタ、整流器など）などのような電気部品を含み得る。
【００４０】
電気部品を含むアセンブリのいくつかの例が提供されているが、熱伝達流体は、任意のアセンブリにおいて、または任意の電気部品のために採用することができ、噴霧時の混合物の導電率および潜在的な可燃性を大幅に増加させることなく、低温性能を伴う改良された熱伝達流体を提供する。
【００４１】
記載されている各化学物質成分の量は、特に指示がない限り、市販の材料に通常存在し得るあらゆる溶媒または希釈油を除いて、つまり活性化学物質に基づいて示されている。しかしながら、特に指示がない限り、本明細書で言及する各化学物質または組成物は、異性体、副生成物、誘導体、および商業グレードに存在すると通常理解される他のそのような材料を含有することができる商業グレードの材料であると解釈されるべきである。
【００４２】
上記の物質のいくつかは、最終的な製剤で相互作用し得ることが既知であるため、最終的な製剤の成分は最初に添加されるものと異なり得る。例えば、金属イオン（例えば、洗剤の）は他の分子の他の酸性またはアニオン性部位に移動する可能性がある。それにより形成された、本発明の組成物をその意図する用途において採用して形成された生成物を含む生成物は簡単に説明されない場合がある。それにもかかわらず、そのような変性物および反応生成物は全て、本発明の範囲内に含まれ、本発明は、上記の成分を混合することにより調製される組成物を包含する。
【００４３】
本明細書で使用される場合、「約」という用語は、所与の量の値が表示値の±２０％以内であることを意味する。他の実施形態において、値は、表示値の±１５％以内である。他の実施形態において、値は、表示値の±１０％以内である。他の実施形態において、値は、表示値の±５％以内である。他の実施形態において、値は、表示値の±２．５％以内である。他の実施形態において、値は、表示値の±１％以内である。
【００４４】
本明細書の本発明は、高い熱容量、高い熱伝導率、および低い可燃性を特徴とする熱伝達流体を用いて電気部品のピーク温度を低下させるのに有用であり、以下の実施例を参照すればよりよく理解し得る。
【実施例】
【００４５】
流体１（比較）−５０／５０水グリコール
【００４６】
流体２−３２重量％のプロピレングリコール、０．５９重量％のコハク酸二カリウム、および残りの脱イオン水の混合物。
【００４７】
流体３−３８．５重量％のプロピレングリコール、６重量％のコハク酸二ナトリウム六水和物、および残りの脱イオン水の混合物。
【００４８】
実施例１−最先端の冷却チャネルモデルにおいてＡＶＬ  Ｌｉｓｔ  ＧｍｂＨ製の１Ｄ  Ｃｒｕｉｓｅ（商標）Ｍコンピュータ車両シミュレーションプラットフォームを使用した熱伝達流体１〜３の比較。電池モデルは、電気および油圧の両方の流れに関して直列に接続された２つの電池モジュールで構成した。最大の電池消耗と電池の寿命（ＥＯＬ）モデルのケースシナリオを使用して、シミュレートされた一定の冷却剤質量流量（冷却剤開ループ）条件下で流体を比較した。このモデルにおいて、シミュレートされた電池システムは、３５℃の開始温度で９５％の充電状態（ＳＯＣ）で開始し、２０％のＳＯＣで最大の消耗に達するまで進行させた。
【００４９】
流体は、最高温度での冷却性能（Ｔ＿ｍａｘ）、モジュール間の温度変化（ΔＴ）、熱伝導率（ＨＴＣ）、圧力変化（Δｐ）、流体の温度変化（ΔＴ＿冷却剤）の絶対的および相対的な比較について試験された。摩擦係数、熱伝達係数（ＨＴＣ）、および冷却剤チャネルの熱流を含むさらなる特性も判定された。流体１と流体２はどちらも、１時間にわたってシミュレートされた流体流量の範囲（０．２〜０．３ｋｇ／分）で均一なＨＴＣを実証した。この間、ベンチマーク流体１は５４．４４５Ｗ／ｍ２／°Ｋの平均ＨＴＣを生成した。流体２は、同一のシミュレーション条件下で平均７８．２６Ｗ／ｍ２／°ＫのＨＴＣを生成した。これは、流体１と比較して４４％の性能の改良を表す。さらなるデータを以下の表１に記載する。
【表１】
2021532232.tif 000002
【００５０】
上記で言及された文書の各々は、上記に具体的に列挙されているかどうかにかかわらず、優先権が主張されるあらゆる先行出願を含んで参照により本明細書に組み込まれる。いずれの文書の言及も、あらゆる権限において、そのような文書が先行技術としての資格を有すること、または当業者の一般知識を構成することの承認ではない。実施例を除き、または特に明示的に示されている場合を除き、物質の量、反応条件、分子量、炭素原子の数などを指定するこの説明の全ての数量は、「約」という単語により修正されるものとして理解されたい。本明細書に記載の量、範囲、および比率の上限および下限は、独立して組み合わせることができることを理解されたい。同様に、本発明の各要素の範囲および量は、他の要素のいずれかの範囲または量と共に使用され得る。
【００５１】
本明細書で使用される場合、「含む（ｉｎｃｌｕｄｉｎｇ）」、「含有する（ｃｏｎｔａｉｎｉｎｇ）」、または「を特徴とする（ｃｈａｒａｃｔｅｒｉｚｅｄ  ｂｙ）」と同義である「含む（ｃｏｍｐｒｉｓｉｎｇ）」という移行性用語は、包括的または無制限であり、追加の、列挙されていない要素または方法ステップを除外しない。しかしながら、本明細書の「含む（ｃｏｍｐｒｉｓｉｎｇ）」の各列挙において、この用語は、代替実施形態として、「から本質的になる（ｃｏｎｓｉｓｔｉｎｇ  ｅｓｓｅｎｔｉａｌｌｙ  ｏｆ）」および「からなる（ｃｏｎｓｉｓｔｉｎｇ  ｏｆ）」という語句も包含することを意図しており、ここで、「からなる」は、指定されていない任意の要素またはステップを除外し、「から本質的になる」は、考慮されている組成物または方法の本質的または基本的および新規の特徴に実質的に影響を与えない追加の列挙されていない要素またはステップを含むことを許容する。
【００５２】
主題の発明を例示する目的で、特定の代表的な実施形態および詳細を示してきたが、主題の発明の範囲から逸脱することなく様々な変更および修正を行うことができることは当業者には明らかであろう。これに関して、本発明の範囲は、以下の特許請求の範囲によりのみ制限されるものとする。
【００５３】
（ａ）（ｉ）水と、（ｉｉ）Ｃ２〜Ｃ１８アルキレングリコールと、Ｃ２〜Ｃ１８金属カルボキシレート、エタノールアミンカルボキシレート、またはそれらの混合物のうちの少なくとも１つを含む石鹸と、を含む、熱伝達流体と、電気部品に密接に接触して熱伝達流体を循環させるための循環システムと、を備える、熱伝達システム。水が、脱塩水である、前文に記載の熱伝達システム。Ｃ２〜Ｃ１８アルキレングリコールが、エチレングリコールを含む、いずれかの前文に記載の熱伝達システム。Ｃ２〜Ｃ１８アルキレングリコールが、プロピレングリコールを含む、いずれかの前文に記載の熱伝達システム。Ｃ２〜Ｃ１８アルキレングリコールが、１，３−プロパンジオールを含む、いずれかの前文に記載の熱伝達システム。Ｃ２〜Ｃ１８アルキレングリコールが、ブタンジオールを含む、いずれかの前文に記載の熱伝達システム。Ｃ２〜Ｃ１８アルキレングリコールが、ビスフェノールを含む、いずれかの前文に記載の熱伝達システム。Ｃ２〜Ｃ１８アルキレングリコールが、レゾルシノールを含む、いずれかの前文に記載の熱伝達システム。Ｃ２〜Ｃ１８アルキレングリコールが、グリセリを含む、いずれかの前文に記載の熱伝達システム。Ｃ２〜Ｃ１８アルキレングリコールが、糖アルコールを含む、いずれかの前文に記載の熱伝達システム。Ｃ２〜Ｃ１８アルキレングリコールが、ソルビトールを含む、いずれかの前文に記載の熱伝達システム。Ｃ２〜Ｃ１８アルキレングリコールが、マンニトールを含む、いずれかの前文に記載の熱伝達システム。Ｃ２〜Ｃ１８アルキレングリコールが、キシリトールを含む、いずれかの前文に記載の熱伝達システム。Ｃ２〜Ｃ１８アルキレングリコールが、エリスリトールを含む、いずれかの前文に記載の熱伝達システム。Ｃ２〜Ｃ１８アルキレングリコールが、ペンタエリスリトールを含む、いずれかの前文に記載の熱伝達システム。Ｃ２〜Ｃ１８アルキレングリコールが、アラビトールを含む、いずれかの前文に記載の熱伝達システム。Ｃ２〜Ｃ１８アルキレングリコールが、イノシトールを含む、いずれかの前文に記載の熱伝達システム。Ｃ２〜Ｃ１８アルキレングリコールが、グリコールエーテルを含む、いずれかの前文に記載の熱伝達システム。Ｃ２〜Ｃ１８アルキレングリコールが、熱伝達流体の重量に基づいて、約１５〜４５重量％で熱伝達流体中に存在する、いずれかの前文に記載の熱伝達システム。Ｃ２〜Ｃ１８アルキレングリコールが、約２０〜約４２重量％で熱伝達流体中に存在する、いずれかの前文に記載の熱伝達システム。Ｃ２〜Ｃ１８アルキレングリコールが、約２５〜約４０重量％で熱伝達流体中に存在する、いずれかの前文に記載の熱伝達システム。石鹸が、Ｃ２〜Ｃ１８金属カルボキシレートを含む、いずれかの前文に記載の熱伝達システム。石鹸が、Ｃ３〜Ｃ１８金属カルボキシレートを含む、いずれかの前文に記載の熱伝達システム。石鹸が、Ｃ４〜Ｃ１８金属カルボキシレートを含む、いずれかの前文に記載の熱伝達システム。石鹸が、Ｃ４〜Ｃ１６金属カルボキシレートを含む、いずれかの前文に記載の熱伝達システム。石鹸が、Ｃ６〜Ｃ１２金属カルボキシレートを含む、いずれかの前文に記載の熱伝達システム。石鹸が、脂肪族カルボキシレートを含む、いずれかの前文に記載の熱伝達システム。石鹸が、環状カルボキシレートを含む、いずれかの前文に記載の熱伝達システム。石鹸が、ジカルボキシレートを含む、いずれかの前文に記載の熱伝達システム。金属カルボキシレートの金属が、アルカリ金属を含む、いずれかの前文に記載の熱伝達システム。金属カルボキシレートの金属が、Ｌｉを含む、いずれかの前文に記載の熱伝達システム。金属カルボキシレートの金属が、Ｎａを含む、いずれかの前文に記載の熱伝達システム。金属カルボキシレートの金属が、Ｋを含む、いずれかの前文に記載の熱伝達システム。金属カルボキシレートの金属が、アルカリ土類金属を含む、いずれかの前文に記載の熱伝達システム。金属カルボキシレートの金属が、Ｍｇを含む、いずれかの前文に記載の熱伝達システム。金属カルボキシレートの金属が、Ｃａを含む、いずれかの前文に記載の熱伝達システム。石鹸が、アジピン酸二ナトリウムを含む、いずれかの前文に記載の熱伝達システム。石鹸が、コハク酸二ナトリウムを含む、いずれかの前文に記載の熱伝達システム。石鹸が、セバシン酸二ナトリウムを含む、いずれかの前文に記載の熱伝達システム。石鹸が、ドデカン二ナトリウム二ナトリウムを含む、いずれかの前文に記載の熱伝達システム。石鹸が、スベレート二ナトリウムを含む、いずれかの前文に記載の熱伝達システム。石鹸が、アゼラート二ナトリウムを含む、いずれかの前文に記載の熱伝達システム。石鹸が、ウンデカン二ナトリウム二ナトリウムを含む、いずれかの前文に記載の熱伝達システム。石鹸が、ギ酸塩を含む、いずれかの前文に記載の熱伝達システム。石鹸が、酢酸塩を含む、いずれかの前文に記載の熱伝達システム。石鹸が、プロピオキシレートを含む、いずれかの前文に記載の熱伝達システム。石鹸が、グリコール酸塩を含む、いずれかの前文に記載の熱伝達システム。石鹸が、乳酸塩を含む、いずれかの前文に記載の熱伝達システム。石鹸が、ラウレートを含む、いずれかの前文に記載の熱伝達システム。石鹸が、ステアリキシレートを含む、いずれかの前文に記載の熱伝達システム。石鹸が、エタノールアミン金属カルボキシレートを含む、いずれかの前文に記載の熱伝達システム。石鹸が、モノエタノールアミン金属カルボキシレートを含む、いずれかの前文に記載の熱伝達システム。石鹸が、ジエタノールアミン金属カルボキシレートを含む、いずれかの前文に記載の熱伝達システム。石鹸が、トリエタノールアミン金属カルボキシレートを含む、いずれかの前文に記載の熱伝達システム。石鹸がエタノールアミン金属カルボキシレートを含み、脂肪酸がリノレン酸を含む、いずれかの前文に記載の熱伝達システム。石鹸がエタノールアミン金属カルボキシレートを含み、脂肪酸がステアリン酸を含む、いずれかの前文に記載の熱伝達システム。石鹸がエタノールアミン金属カルボキシレートを含み、脂肪酸がパルミトレイン酸を含む、いずれかの前文に記載の熱伝達システム。石鹸がエタノールアミン金属カルボキシレートを含み、脂肪酸がオレイン酸を含む、いずれかの前文に記載の熱伝達システム。石鹸がエタノールアミン金属カルボキシレートを含み、脂肪酸がエルカ酸を含む、いずれかの前文に記載の熱伝達システム。石鹸がエタノールアミン金属カルボキシレートを含み、脂肪酸が酪酸を含む、いずれかの前文に記載の熱伝達システム。石鹸がエタノールアミン金属カルボキシレートを含み、脂肪酸がカプロン酸を含む、いずれかの前文に記載の熱伝達システム。石鹸がエタノールアミン金属カルボキシレートを含み、脂肪酸がカプリル酸を含む、いずれかの前文に記載の熱伝達システム。石鹸がエタノールアミン金属カルボキシレートを含み、脂肪酸がラウリン酸を含む、いずれかの前文に記載の熱伝達システム。石鹸がエタノールアミン金属カルボキシレートを含み、脂肪酸がシトラコン酸を含む、いずれかの前文に記載の熱伝達システム。石鹸がエタノールアミン金属カルボキシレートを含み、脂肪酸がイタコン酸を含む、いずれかの前文に記載の熱伝達システム。石鹸がエタノールアミン金属カルボキシレートを含み、脂肪酸がパルミチン酸を含む、いずれかの前文に記載の熱伝達システム。石鹸が、熱伝達の環境に必要とされる所望の凝固点／熱容量を達成するのに十分な量で熱伝達流体中に存在する、いずれかの前文に記載の熱伝達システム。石鹸が、熱伝達流体の重量に基づいて、約０．０１〜約１５重量％で熱伝達流体中に存在する、いずれかの前文に記載の熱伝達システム。石鹸が、約０．０５〜約１２重量％で熱伝達流体中に存在する、いずれかの前文に記載の熱伝達システム。石鹸が、約０．１〜約１０重量％で熱伝達流体中に存在する、いずれかの前文に記載の熱伝達システム。石鹸が、約０．５〜約５重量％で熱伝達流体中に存在する、いずれかの前文に記載の熱伝達システム。石鹸が、約１〜約４重量％で熱伝達流体中に存在する、いずれかの前文に記載の熱伝達システム。熱伝達流体が、腐食防止剤をさらに含む、いずれかの前文に記載の熱伝達システム。腐食防止剤が、、約０．０１％〜約６．０％、または０．０２％、０．０３％、０．０５％、０．１％〜６％、４％、２％、１％、さらにまたは０．５％で存在する、いずれかの前文に記載の熱伝達システム。熱伝達流体が、酸化防止剤をさらに含む、いずれかの前文に記載の熱伝達システム。酸化防止剤が、、約０．０１％〜約６．０％、または０．０２％、０．０３％、０．０５％、０．１％〜６％、４％、２％、１％、さらにまたは０．５％で存在する、いずれかの前文に記載の熱伝達システム。電気部品から熱を分散させる方法であって、（ａ）電気部品と密接に接触する熱伝達システムを提供することと、（ｂ）いずれかの前文に記載の熱伝達流体を当該熱伝達システムを通して循環させ、かつ電気部品および熱伝達システムを動作させることと、を含む、方法。電気部品が電池モジュールを含み、電池モジュールを動作させることが、電池モジュールの総容量の少なくとも７５％が１５分未満の時間内に回復するように電池モジュールを充電することを含む、前文に記載の方法。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
熱伝達システムであって、
ａ．熱伝達流体であって、
ｉ．水と、
ｉｉ．１５〜４５重量％のＣ２〜Ｃ１８アルキレングリコールと、
ｉｉｉ．Ｃ２〜Ｃ１８金属ジカルボキシレート、エタノールアミンカルボキシレート、またはそれらの混合物のうちの少なくとも１つを含む、０．０１〜１５重量％の石鹸と、を含む、熱伝達流体と、
ａ．電気部品に密接に接触して前記熱伝達流体を循環させるための循環システムと、を備える、熱伝達システム。
【請求項２】
前記水が、脱塩水である、請求項１に記載の熱伝達システム。
【請求項３】
前記Ｃ２〜Ｃ１８アルキレングリコールが、エチレングリコールまたはプロピレングリコールを含む、請求項１に記載の熱伝達システム。
【請求項４】
前記石鹸が、アジピン酸二ナトリウムまたはコハク酸二ナトリウムを含む、請求項１に記載の熱伝達システム。
【請求項５】
前記熱伝達流体が、腐食防止剤をさらに含む、請求項１に記載の熱伝達システム。
【請求項６】
前記熱伝達流体が、抗酸化剤をさらに含む、請求項１に記載の熱伝達システム。
【請求項７】
電気部品から熱を分散させる方法であって、
ａ．前記電気部品と密接に接触する熱伝達システムを提供することと、
ｂ．前記熱伝達システムを通して熱伝達流体を循環させることであって、前記熱伝達流体が、
ｉ．水と、
ｉｉ．１５〜４５重量％のＣ２〜Ｃ１８アルキレングリコールと、
ｉｉｉ．Ｃ２〜Ｃ１８金属ジカルボキシレート、エタノールアミンカルボキシレート、またはそれらの混合物のうちの少なくとも１つを含む、０．０１〜１５重量％の石鹸と、を含む、循環させることと、
ｃ．前記電気部品および前記熱伝達システムを動作させることと、を含む、方法。
【請求項８】
前記電気部品が電池モジュールを備え、前記電池モジュールを動作させることが、電池モジュールの総容量の少なくとも７５％が１５分未満の時間内に回復するように前記電池モジュールを充電することを含む、請求項７に記載の方法。
【手続補正２】
【補正対象書類名】明細書
【補正対象項目名】００５３
【補正方法】変更
【補正の内容】
【００５３】
（ａ）（ｉ）水と、（ｉｉ）Ｃ２〜Ｃ１８アルキレングリコールと、Ｃ２〜Ｃ１８金属カルボキシレート、エタノールアミンカルボキシレート、またはそれらの混合物のうちの少なくとも１つを含む石鹸と、を含む、熱伝達流体と、電気部品に密接に接触して熱伝達流体を循環させるための循環システムと、を備える、熱伝達システム。水が、脱塩水である、前文に記載の熱伝達システム。Ｃ２〜Ｃ１８アルキレングリコールが、エチレングリコールを含む、いずれかの前文に記載の熱伝達システム。Ｃ２〜Ｃ１８アルキレングリコールが、プロピレングリコールを含む、いずれかの前文に記載の熱伝達システム。Ｃ２〜Ｃ１８アルキレングリコールが、１，３−プロパンジオールを含む、いずれかの前文に記載の熱伝達システム。Ｃ２〜Ｃ１８アルキレングリコールが、ブタンジオールを含む、いずれかの前文に記載の熱伝達システム。Ｃ２〜Ｃ１８アルキレングリコールが、ビスフェノールを含む、いずれかの前文に記載の熱伝達システム。Ｃ２〜Ｃ１８アルキレングリコールが、レゾルシノールを含む、いずれかの前文に記載の熱伝達システム。Ｃ２〜Ｃ１８アルキレングリコールが、グリセリを含む、いずれかの前文に記載の熱伝達システム。Ｃ２〜Ｃ１８アルキレングリコールが、糖アルコールを含む、いずれかの前文に記載の熱伝達システム。Ｃ２〜Ｃ１８アルキレングリコールが、ソルビトールを含む、いずれかの前文に記載の熱伝達システム。Ｃ２〜Ｃ１８アルキレングリコールが、マンニトールを含む、いずれかの前文に記載の熱伝達システム。Ｃ２〜Ｃ１８アルキレングリコールが、キシリトールを含む、いずれかの前文に記載の熱伝達システム。Ｃ２〜Ｃ１８アルキレングリコールが、エリスリトールを含む、いずれかの前文に記載の熱伝達システム。Ｃ２〜Ｃ１８アルキレングリコールが、ペンタエリスリトールを含む、いずれかの前文に記載の熱伝達システム。Ｃ２〜Ｃ１８アルキレングリコールが、アラビトールを含む、いずれかの前文に記載の熱伝達システム。Ｃ２〜Ｃ１８アルキレングリコールが、イノシトールを含む、いずれかの前文に記載の熱伝達システム。Ｃ２〜Ｃ１８アルキレングリコールが、グリコールエーテルを含む、いずれかの前文に記載の熱伝達システム。Ｃ２〜Ｃ１８アルキレングリコールが、熱伝達流体の重量に基づいて、約１５〜４５重量％で熱伝達流体中に存在する、いずれかの前文に記載の熱伝達システム。Ｃ２〜Ｃ１８アルキレングリコールが、約２０〜約４２重量％で熱伝達流体中に存在する、いずれかの前文に記載の熱伝達システム。Ｃ２〜Ｃ１８アルキレングリコールが、約２５〜約４０重量％で熱伝達流体中に存在する、いずれかの前文に記載の熱伝達システム。石鹸が、Ｃ２〜Ｃ１８金属カルボキシレートを含む、いずれかの前文に記載の熱伝達システム。石鹸が、Ｃ３〜Ｃ１８金属カルボキシレートを含む、いずれかの前文に記載の熱伝達システム。石鹸が、Ｃ４〜Ｃ１８金属カルボキシレートを含む、いずれかの前文に記載の熱伝達システム。石鹸が、Ｃ４〜Ｃ１６金属カルボキシレートを含む、いずれかの前文に記載の熱伝達システム。石鹸が、Ｃ６〜Ｃ１２金属カルボキシレートを含む、いずれかの前文に記載の熱伝達システム。石鹸が、脂肪族カルボキシレートを含む、いずれかの前文に記載の熱伝達システム。石鹸が、環状カルボキシレートを含む、いずれかの前文に記載の熱伝達システム。石鹸が、ジカルボキシレートを含む、いずれかの前文に記載の熱伝達システム。金属カルボキシレートの金属が、アルカリ金属を含む、いずれかの前文に記載の熱伝達システム。金属カルボキシレートの金属が、Ｌｉを含む、いずれかの前文に記載の熱伝達システム。金属カルボキシレートの金属が、Ｎａを含む、いずれかの前文に記載の熱伝達システム。金属カルボキシレートの金属が、Ｋを含む、いずれかの前文に記載の熱伝達システム。金属カルボキシレートの金属が、アルカリ土類金属を含む、いずれかの前文に記載の熱伝達システム。金属カルボキシレートの金属が、Ｍｇを含む、いずれかの前文に記載の熱伝達システム。金属カルボキシレートの金属が、Ｃａを含む、いずれかの前文に記載の熱伝達システム。石鹸が、アジピン酸二ナトリウムを含む、いずれかの前文に記載の熱伝達システム。石鹸が、コハク酸二ナトリウムを含む、いずれかの前文に記載の熱伝達システム。石鹸が、セバシン酸二ナトリウムを含む、いずれかの前文に記載の熱伝達システム。石鹸が、ドデカン二ナトリウム二ナトリウムを含む、いずれかの前文に記載の熱伝達システム。石鹸が、スベレート二ナトリウムを含む、いずれかの前文に記載の熱伝達システム。石鹸が、アゼラート二ナトリウムを含む、いずれかの前文に記載の熱伝達システム。石鹸が、ウンデカン二ナトリウム二ナトリウムを含む、いずれかの前文に記載の熱伝達システム。石鹸が、ギ酸塩を含む、いずれかの前文に記載の熱伝達システム。石鹸が、酢酸塩を含む、いずれかの前文に記載の熱伝達システム。石鹸が、プロピオキシレートを含む、いずれかの前文に記載の熱伝達システム。石鹸が、グリコール酸塩を含む、いずれかの前文に記載の熱伝達システム。石鹸が、乳酸塩を含む、いずれかの前文に記載の熱伝達システム。石鹸が、ラウレートを含む、いずれかの前文に記載の熱伝達システム。石鹸が、ステアリキシレートを含む、いずれかの前文に記載の熱伝達システム。石鹸が、エタノールアミン金属カルボキシレートを含む、いずれかの前文に記載の熱伝達システム。石鹸が、モノエタノールアミン金属カルボキシレートを含む、いずれかの前文に記載の熱伝達システム。石鹸が、ジエタノールアミン金属カルボキシレートを含む、いずれかの前文に記載の熱伝達システム。石鹸が、トリエタノールアミン金属カルボキシレートを含む、いずれかの前文に記載の熱伝達システム。石鹸がエタノールアミン金属カルボキシレートを含み、脂肪酸がリノレン酸を含む、いずれかの前文に記載の熱伝達システム。石鹸がエタノールアミン金属カルボキシレートを含み、脂肪酸がステアリン酸を含む、いずれかの前文に記載の熱伝達システム。石鹸がエタノールアミン金属カルボキシレートを含み、脂肪酸がパルミトレイン酸を含む、いずれかの前文に記載の熱伝達システム。石鹸がエタノールアミン金属カルボキシレートを含み、脂肪酸がオレイン酸を含む、いずれかの前文に記載の熱伝達システム。石鹸がエタノールアミン金属カルボキシレートを含み、脂肪酸がエルカ酸を含む、いずれかの前文に記載の熱伝達システム。石鹸がエタノールアミン金属カルボキシレートを含み、脂肪酸が酪酸を含む、いずれかの前文に記載の熱伝達システム。石鹸がエタノールアミン金属カルボキシレートを含み、脂肪酸がカプロン酸を含む、いずれかの前文に記載の熱伝達システム。石鹸がエタノールアミン金属カルボキシレートを含み、脂肪酸がカプリル酸を含む、いずれかの前文に記載の熱伝達システム。石鹸がエタノールアミン金属カルボキシレートを含み、脂肪酸がラウリン酸を含む、いずれかの前文に記載の熱伝達システム。石鹸がエタノールアミン金属カルボキシレートを含み、脂肪酸がシトラコン酸を含む、いずれかの前文に記載の熱伝達システム。石鹸がエタノールアミン金属カルボキシレートを含み、脂肪酸がイタコン酸を含む、いずれかの前文に記載の熱伝達システム。石鹸がエタノールアミン金属カルボキシレートを含み、脂肪酸がパルミチン酸を含む、いずれかの前文に記載の熱伝達システム。石鹸が、熱伝達の環境に必要とされる所望の凝固点／熱容量を達成するのに十分な量で熱伝達流体中に存在する、いずれかの前文に記載の熱伝達システム。石鹸が、熱伝達流体の重量に基づいて、約０．０１〜約１５重量％で熱伝達流体中に存在する、いずれかの前文に記載の熱伝達システム。石鹸が、約０．０５〜約１２重量％で熱伝達流体中に存在する、いずれかの前文に記載の熱伝達システム。石鹸が、約０．１〜約１０重量％で熱伝達流体中に存在する、いずれかの前文に記載の熱伝達システム。石鹸が、約０．５〜約５重量％で熱伝達流体中に存在する、いずれかの前文に記載の熱伝達システム。石鹸が、約１〜約４重量％で熱伝達流体中に存在する、いずれかの前文に記載の熱伝達システム。熱伝達流体が、腐食防止剤をさらに含む、いずれかの前文に記載の熱伝達システム。腐食防止剤が、、約０．０１％〜約６．０％、または０．０２％、０．０３％、０．０５％、０．１％〜６％、４％、２％、１％、さらにまたは０．５％で存在する、いずれかの前文に記載の熱伝達システム。熱伝達流体が、酸化防止剤をさらに含む、いずれかの前文に記載の熱伝達システム。酸化防止剤が、、約０．０１％〜約６．０％、または０．０２％、０．０３％、０．０５％、０．１％〜６％、４％、２％、１％、さらにまたは０．５％で存在する、いずれかの前文に記載の熱伝達システム。電気部品から熱を分散させる方法であって、（ａ）電気部品と密接に接触する熱伝達システムを提供することと、（ｂ）いずれかの前文に記載の熱伝達流体を当該熱伝達システムを通して循環させ、かつ電気部品および熱伝達システムを動作させることと、を含む、方法。電気部品が電池モジュールを含み、電池モジュールを動作させることが、電池モジュールの総容量の少なくとも７５％が１５分未満の時間内に回復するように電池モジュールを充電することを含む、前文に記載の方法。
特定の実施形態では、例えば、以下が提供される：
（項目１）
熱伝達システムであって、
ａ．熱伝達流体であって、
ｉ．水と、
ｉｉ．Ｃ２〜Ｃ１８アルキレングリコールと、
ｉｉｉ．Ｃ２〜Ｃ１８金属カルボキシレート、エタノールアミンカルボキシレート、またはそれらの混合物のうちの少なくとも１つを含む石鹸と、を含む、熱伝達流体と、
ａ．電気部品に密接に接触して前記熱伝達流体を循環させるための循環システムと、を備える、熱伝達システム。
（項目２）
前記水が、脱塩水である、項目１に記載の熱伝達システム。
（項目３）
前記Ｃ２〜Ｃ１８アルキレングリコールが、エチレングリコールまたはプロピレングリコールを含む、項目１に記載の熱伝達システム。
（項目４）
前記石鹸が、アジピン酸二ナトリウムまたはコハク酸二ナトリウムを含む、項目１に記載の熱伝達システム。
（項目５）
前記熱伝達流体が、腐食防止剤をさらに含む、項目１に記載の熱伝達システム。
（項目６）
前記熱伝達流体が、抗酸化剤をさらに含む、項目１に記載の熱伝達システム。
（項目７）
電気部品から熱を分散させる方法であって、
ａ．前記電気部品と密接に接触する熱伝達システムを提供することと、
ｂ．前記熱伝達システムを通して熱伝達流体を循環させることであって、前記熱伝達流体が、
ｉ．水と、
ｉｉ．Ｃ２〜Ｃ１８アルキレングリコールと、
ｉｉｉ．Ｃ２〜Ｃ１８金属カルボキシレート、エタノールアミンカルボキシレート、またはそれらの混合物のうちの少なくとも１つを含む石鹸と、を含む、循環させることと、
ｃ．前記電気部品および前記熱伝達システムを動作させることと、を含む、方法。
（項目８）
前記電気部品が電池モジュールを備え、前記電池モジュールを動作させることが、電池モジュールの総容量の少なくとも７５％が１５分未満の時間内に回復するように前記電池モジュールを充電することを含む、項目７に記載の方法。
【国際調査報告】
2021532232.tif 000003
2021532232.tif 000004
2021532232.tif 000005
2021532232.tif 000006